(57)【特許請求の範囲】
【請求項１】
第１の記憶媒体が挿入される第１の挿入部と、
前記第１の記憶媒体よりも小さい第２の記憶媒体が挿入される第２の挿入部と、
記憶媒体の選択をユーザから受け付ける受け付け手段と、
ユーザにより選択された記憶媒体が前記第２の記憶媒体である場合には、当該第２の記憶媒体の挿入箇所が前記第２の挿入部であることをユーザに通知し、ユーザにより選択された当該記憶媒体が前記第１の記憶媒体である場合には、ユーザに当該第１の記憶媒体の挿入を案内する前に、当該第１の記憶媒体と当該第２の記憶媒体とを識別させる、記憶媒体の選択を再度行わせるための画面を表示する処理手段と、
を含む記憶媒体処理装置。
【請求項２】
第１の記憶媒体が挿入される第１の挿入部と、
前記第１の記憶媒体よりも小さい第２の記憶媒体が挿入される第２の挿入部と、
記憶媒体の選択をユーザから受け付ける受け付け手段と、
ユーザにより選択された記憶媒体が前記第２の記憶媒体である場合には、当該第２の記憶媒体の挿入箇所が前記第２の挿入部であることをユーザに通知し、ユーザにより選択された当該記憶媒体が前記第１の記憶媒体である場合には、当該第１の記憶媒体と当該第２の記憶媒体とを識別させる、記憶媒体の選択を再度行わせるための画面を表示する処理手段と、
を含み、
前記処理手段は、記憶媒体の再度の選択がユーザにより行われた場合、当該再度の選択により選択された記憶媒体の挿入箇所を当該ユーザに通知することを特徴とする記憶媒体処理装置。
【請求項３】
第１の記憶媒体が挿入される第１の挿入部と、
前記第１の記憶媒体よりも小さい第２の記憶媒体が挿入される第２の挿入部と、
記憶媒体の選択をユーザから受け付ける受け付け手段と、
ユーザにより選択された記憶媒体が前記第２の記憶媒体である場合には、当該第２の記憶媒体の挿入箇所が前記第２の挿入部であることをユーザに通知し、ユーザにより選択された当該記憶媒体が前記第１の記憶媒体である場合には、記憶媒体の選択を再度行わせるための画面を表示する処理手段と、
を含み、
前記処理手段は、選択を再度行わせるための前記画面にて、前記第１の記憶媒体および前記第２の記憶媒体を実物大で表示することを特徴とする記憶媒体処理装置。
【請求項４】
前記処理手段は、選択を再度行わせるための前記画面をタッチパネル方式の表示装置にて表示するとともに、当該画面の予め定められた箇所に、ユーザによる再度の選択がなされる際に当該ユーザにより押圧される画像を表示し、
前記第１の記憶媒体および前記第２の記憶媒体の前記実物大の表示は、前記予め定められた箇所とは異なる箇所にて行われることを特徴とする請求項３記載の記憶媒体処理装置。
【請求項５】
選択を再度行わせるための前記画面が表示される表示面は、傾斜して配置され、
前記第１の記憶媒体および前記第２の記憶媒体の前記実物大の表示は、前記予め定められた箇所の上方に位置する領域以外の領域にて行われることを特徴とする請求項４記載の記憶媒体処理装置。
【請求項６】
選択を再度行わせるための前記画面を正面から眺めた場合に、前記第１の記憶媒体および前記第２の記憶媒体の前記実物大の表示は、当該画面の幅方向における中央部又は当該中央部よりも右側にて行われ、
選択を再度行わせるための前記画面を正面から眺めた場合に、ユーザにより押圧される前記画像は、前記第１の記憶媒体および前記第２の記憶媒体の前記実物大の表示よりも左側に表示されることを特徴とする請求項４又は５に記載の記憶媒体処理装置。
【請求項７】
前記第１の挿入部に挿入された前記第２の記憶媒体を当該第１の挿入部から排出する排出機構を更に備えることを特徴とする請求項１乃至６の何れかに記載の記憶媒体処理装置。
【請求項８】
第１の記憶媒体が挿入される第１の挿入部と、
前記第１の記憶媒体よりも小さい第２の記憶媒体が挿入される第２の挿入部と、
記憶媒体の選択をユーザから受け付ける受け付け手段と、
ユーザにより選択された記憶媒体が前記第２の記憶媒体である場合には、当該第２の記憶媒体の挿入箇所が前記第２の挿入部であることをユーザに通知し、ユーザにより選択された当該記憶媒体が前記第１の記憶媒体である場合には、ユーザに当該第１の記憶媒体の挿入を案内する前に、当該第１の記憶媒体と当該第２の記憶媒体とを識別させる、記憶媒体の選択を再度行わせるための画面を表示する処理手段と、
前記第１の挿入部に挿入された前記第１の記憶媒体または前記第２の挿入部に挿入された前記第２の記憶媒体から読み出された情報に基づき、記録材に対して画像を形成する画像形成部と、
を含む画像形成システム。
【請求項９】
第１の記憶媒体および当該第１の記憶媒体よりも小さい第２の記憶媒体を含む複数の記憶媒体の中からユーザによって選択された記憶媒体が当該第２の記憶媒体である場合には、当該第２の記憶媒体の挿入箇所をユーザに通知し、ユーザによって選択された当該記憶媒体が当該第１の記憶媒体である場合には、ユーザに当該第１の記憶媒体の挿入を案内する前に、当該第１の記憶媒体と当該第２の記憶媒体とを識別させる、記憶媒体の選択を再度行わせるための画面を表示する機能と、
ユーザにより行われる記憶媒体の再度の選択を受け付ける受け付け機能と、
をコンピュータに実現させるためのプログラム。
【発明の詳細な説明】
【技術分野】
【０００１】
本発明は、記憶媒体処理装置、画像形成システム、およびプログラムに関する。
【背景技術】
【０００２】
ｘＤピクチャーカード用の挿入口、スマートメディア用の挿入口、メモリースティック用の挿入口が設けられたメディア挿入口を有したプリント装置が提案されている（例えば、特許文献１参照）。
また、情報処理部を備える装置本体と、情報処理部によって情報処理される情報記録媒体を装置本体内に挿入させるための挿入部と、この挿入部を開閉するシャッタと、このシャッタの外面側にその幅方向に沿って形成された凹部と、を有する情報記録媒体処理装置が提案されている（例えば、特許文献２参照）。
【先行技術文献】
【特許文献】
【０００３】
【特許文献１】特開２００６−８２３９７号公報
【特許文献２】特開２００１−６７４３７号公報
【発明の概要】
【発明が解決しようとする課題】
【０００４】
本発明の目的は、操作に慣れたユーザの操作性の低下を抑えつつ記憶媒体の誤挿入を抑制することができる記憶媒体処理装置等を提供することにある。
【課題を解決するための手段】
【０００５】
請求項１に記載の発明は、第１の記憶媒体が挿入される第１の挿入部と、前記第１の記憶媒体よりも小さい第２の記憶媒体が挿入される第２の挿入部と、記憶媒体の選択をユーザから受け付ける受け付け手段と、ユーザにより選択された記憶媒体が前記第２の記憶媒体である場合には、当該第２の記憶媒体の挿入箇所が前記第２の挿入部であることをユーザに通知し、ユーザにより選択された当該記憶媒体が前記第１の記憶媒体である場合には、ユーザに当該第１の記憶媒体の挿入を案内する前に、当該第１の記憶媒体と当該第２の記憶媒体とを識別させる、記憶媒体の選択を再度行わせるための画面を表示する処理手段と、を含む記憶媒体処理装置である。
【０００６】
請求項２に記載の発明は、第１の記憶媒体が挿入される第１の挿入部と、前記第１の記憶媒体よりも小さい第２の記憶媒体が挿入される第２の挿入部と、記憶媒体の選択をユーザから受け付ける受け付け手段と、ユーザにより選択された記憶媒体が前記第２の記憶媒体である場合には、当該第２の記憶媒体の挿入箇所が前記第２の挿入部であることをユーザに通知し、ユーザにより選択された当該記憶媒体が前記第１の記憶媒体である場合には、当該第１の記憶媒体と当該第２の記憶媒体とを識別させる、記憶媒体の選択を再度行わせるための画面を表示する処理手段と、を含み、前記処理手段は、記憶媒体の再度の選択がユーザにより行われた場合、当該再度の選択により選択された記憶媒体の挿入箇所を当該ユーザに通知することを特徴とする記憶媒体処理装置である。
請求項３に記載の発明は、第１の記憶媒体が挿入される第１の挿入部と、前記第１の記憶媒体よりも小さい第２の記憶媒体が挿入される第２の挿入部と、記憶媒体の選択をユーザから受け付ける受け付け手段と、ユーザにより選択された記憶媒体が前記第２の記憶媒体である場合には、当該第２の記憶媒体の挿入箇所が前記第２の挿入部であることをユーザに通知し、ユーザにより選択された当該記憶媒体が前記第１の記憶媒体である場合には、記憶媒体の選択を再度行わせるための画面を表示する処理手段と、を含み、前記処理手段は、選択を再度行わせるための前記画面にて、前記第１の記憶媒体および前記第２の記憶媒体を実物大で表示することを特徴とする記憶媒体処理装置である。
請求項４に記載の発明は、前記処理手段は、選択を再度行わせるための前記画面をタッチパネル方式の表示装置にて表示するとともに、当該画面の予め定められた箇所に、ユーザによる再度の選択がなされる際に当該ユーザにより押圧される画像を表示し、前記第１の記憶媒体および前記第２の記憶媒体の前記実物大の表示は、前記予め定められた箇所とは異なる箇所にて行われることを特徴とする請求項３記載の記憶媒体処理装置である。
請求項５に記載の発明は、選択を再度行わせるための前記画面が表示される表示面は、傾斜して配置され、前記第１の記憶媒体および前記第２の記憶媒体の前記実物大の表示は、前記予め定められた箇所の上方に位置する領域以外の領域にて行われることを特徴とする請求項４記載の記憶媒体処理装置である。
請求項６に記載の発明は、選択を再度行わせるための前記画面を正面から眺めた場合に、前記第１の記憶媒体および前記第２の記憶媒体の前記実物大の表示は、当該画面の幅方向における中央部又は当該中央部よりも右側にて行われ、選択を再度行わせるための前記画面を正面から眺めた場合に、ユーザにより押圧される前記画像は、前記第１の記憶媒体および前記第２の記憶媒体の前記実物大の表示よりも左側に表示されることを特徴とする請求項４又は５に記載の記憶媒体処理装置である。
請求項７に記載の発明は、前記第１の挿入部に挿入された前記第２の記憶媒体を当該第１の挿入部から排出する排出機構を更に備えることを特徴とする請求項１乃至６の何れかに記載の記憶媒体処理装置である。
【０００７】
請求項８に記載の発明は、第１の記憶媒体が挿入される第１の挿入部と、前記第１の記憶媒体よりも小さい第２の記憶媒体が挿入される第２の挿入部と、記憶媒体の選択をユーザから受け付ける受け付け手段と、ユーザにより選択された記憶媒体が前記第２の記憶媒体である場合には、当該第２の記憶媒体の挿入箇所が前記第２の挿入部であることをユーザに通知し、ユーザにより選択された当該記憶媒体が前記第１の記憶媒体である場合には、ユーザに当該第１の記憶媒体の挿入を案内する前に、当該第１の記憶媒体と当該第２の記憶媒体とを識別させる、記憶媒体の選択を再度行わせるための画面を表示する処理手段と、前記第１の挿入部に挿入された前記第１の記憶媒体または前記第２の挿入部に挿入された前記第２の記憶媒体から読み出された情報に基づき、記録材に対して画像を形成する画像形成部と、を含む画像形成システムである。
【０００８】
請求項９に記載の発明は、第１の記憶媒体および当該第１の記憶媒体よりも小さい第２の記憶媒体を含む複数の記憶媒体の中からユーザによって選択された記憶媒体が当該第２の記憶媒体である場合には、当該第２の記憶媒体の挿入箇所をユーザに通知し、ユーザによって選択された当該記憶媒体が当該第１の記憶媒体である場合には、ユーザに当該第１の記憶媒体の挿入を案内する前に、当該第１の記憶媒体と当該第２の記憶媒体とを識別させる、記憶媒体の選択を再度行わせるための画面を表示する機能と、ユーザにより行われる記憶媒体の再度の選択を受け付ける受け付け機能と、をコンピュータに実現させるためのプログラムである。
【発明の効果】
【０００９】
請求項１の発明によれば、操作に慣れたユーザの操作性の低下を抑えつつ、記憶媒体の挿入前に記憶媒体の再度の選択をより確実に行い、記憶媒体の誤挿入を抑制することができる記憶媒体処理装置を提供することができる。
請求項２の発明によれば、操作に慣れたユーザの操作性の低下を抑えつつ記憶媒体の誤挿入を抑制することができる記憶媒体処理装置において、再度の選択により選択された記憶媒体の挿入箇所が明確となり記憶媒体の誤挿入が抑制されるようになる。
請求項３の発明によれば、操作に慣れたユーザの操作性の低下を抑えつつ記憶媒体の誤挿入を抑制することができる記憶媒体処理装置において、実物大の表示を行わない場合に比べ、ユーザが有する記憶媒体が第１の記憶媒体および第２の記憶媒体のいずれであるかをユーザが判断する際の誤りが減るようになる。
請求項４の発明によれば、ユーザによる再度の選択がなされる際にユーザにより押圧される画像が誤って押圧されることを抑制可能になる。
請求項５の発明によれば、ユーザによる再度の選択がなされる際にユーザにより押圧される画像が誤って押圧されることを抑制可能になる。
請求項６の発明によれば、ユーザによる再度の選択がなされる際にユーザにより押圧される画像が誤って押圧されることを抑制可能になるとともに、実物大の表示が画面の左側に位置している場合に比べ、実物大の表示に対して記憶媒体を重ねる際の操作性が向上するようになる。
請求項７の発明によれば、排出機構が設けられていない場合に比べ、第１の挿入部に誤って挿入された第２の記憶媒体をより簡易に取り出すことができるようになる。
請求項８の発明によれば、操作に慣れたユーザの操作性の低下を抑えつつ、記憶媒体の挿入前に記憶媒体の再度の選択をより確実に行い、記憶媒体の誤挿入を抑制することができる画像形成システムを提供することができる。
請求項９の発明によれば、操作に慣れたユーザの操作性の低下を抑えつつ、記憶媒体の挿入前に記憶媒体の再度の選択をより確実に行い、記憶媒体の誤挿入を抑制することができるプログラムを提供することができる。
【図面の簡単な説明】
【００１０】
【図１】金銭が支払われたことを条件としてプリントを行う課金制のプリントシステムを示した図である。
【図２】インタフェース部に形成されたスロットを説明するための図である。
【図３】画像形成装置に設けられた制御部のハードウェア構成例である。
【図４】画像形成装置にてプリントが行われる際に制御部が実行する処理の流れを示したフローチャートである。
【図５】モニタに表示される表示画面の一例を示した図である。
【図６】表示画面の一例を示した図である。
【図７】モニタに表示される表示画面を示した図である。
【図８】表示画面の一例を示した図である。
【図９】表示画面の一例を示した図である。
【図１０】表示画面の一例を示した図である。
【図１１】表示画面の一例を示した図である。
【図１２】表示画面の他の一例を示した図である。
【図１３】記憶媒体の排出機構を示した図である。
【発明を実施するための形態】
【００１１】
以下、添付図面を参照して、本発明の実施の形態について詳細に説明する。
図１は、金銭が支払われたことを条件としてプリントを行う課金制のプリントシステム１を示した図である。このプリントシステム（画像形成システム）１は、ユーザからの金銭を受領する課金装置１２と、課金装置１２にて金銭が収受されたことを条件として用紙に対して画像を形成する画像形成装置１０とから構成されている。
【００１２】
画像形成装置１０には、原稿上の画像を読み取る画像読み取り部２２、用紙に対して画像を形成する画像形成部２４が設けられている。また画像形成装置１０には、画像読み取り部２２、画像形成部２４、課金装置１２、および後述するインタフェースユニット１６を制御する制御部６０が設けられている。ここで、画像読み取り部２２は、不図示のスキャナユニットを動作させることで所謂ライン走査によって原稿上の画像を読み取り、画像データを取得する。
【００１３】
また、画像形成装置１０は、コピー機能を備えており、コピーの指示がユーザからあった場合には、上記画像形成部２４が、画像読み取り部２２にて取得された画像データに基づき用紙に対し画像の形成を行う。なおこの際、画像形成部２４の下方に配置された用紙収容部３０から画像形成部２４に対して用紙が供給される。なお画像形成部２４は、例えば、感光体ドラム、感光体ドラムを帯電する帯電器、感光体ドラムにレーザ光を照射し静電潜像を形成するレーザ露光器、感光体ドラムに形成された静電潜像をトナーを用いて現像する現像装置、感光体ドラム上に形成されたトナー像を用紙に対し転写する転写装置により構成することができる。なお本実施形態では、電子写真方式によって画像を形成する場合を例示したが、インクジェット方式などによって画像を形成するようにしてもよい。
【００１４】
また本実施形態のプリントシステム１には、ユーザからの指示を受け付けるとともにユーザが有する記憶媒体から情報を取得し、さらに、情報の表示を行うインタフェースユニット１６が設けられている。ここで、このインタフェースユニット１６には、タッチパネル方式のモニタ１８が設けられている。またインタフェースユニット１６には、ユーザが有する記憶媒体が挿入されこの記憶媒体から画像データなどの情報を読み出すインタフェース部２０が設けられている。ここでこのインタフェース部２０には、記憶媒体が挿入されるスロット（後述）を覆うカバー２０Ａが設けられている。なおこのカバー２０Ａは開閉可能な状態で設けられている。またインタフェース部２０には、モータを備えこのカバー２０Ａを開閉する開閉機構（不図示）が設けられている。
【００１５】
ここでモニタ１８には、コピー（複写）機能、スキャナ（画像読み取り）機能、プリント（印刷）機能のいずれを行うかをユーザに選択させるための表示がなされる。また詳細は後述するが、モニタ１８には、インタフェース部２０に挿入される記憶媒体を特定するための表示がなされる。
【００１６】
課金装置１２は、箱状に形成され、上面には操作パネル１２Ａが設けられている。そしてこの操作パネル１２Ａには、不図示の操作ボタンや表示部が設けられている。また操作パネル１２Ａには、金銭投入部（不図示）が設けられている。本実施形態では、プリントシステム１を利用するユーザが、予め定められた金銭をこの金銭投入部に投入することで、コピー機能、スキャナ機能、プリント機能が利用できるようになる。なお課金装置１２およびインタフェースユニット１６は、画像形成装置１０に接続されており、課金装置１２からの課金情報、インタフェースユニット１６からの情報に基づき、画像形成装置１０は動作するようになっている。
【００１７】
図２は、インタフェース部２０に形成されたスロットを説明するための図である。なお本図では、カバー２０Ａが開かれている状態を図示している。
本実施形態におけるインタフェース部２０では、「SD（登録商標）カード」、「miniSDカード」（第１の記憶媒体の一例）、「microSDカード」（第２の記憶媒体の一例）、「xDピクチャーカード（登録商標）」、「メモリースティック（登録商標）」、「メモリースティックDuo（登録商標）」、「コンパクトフラッシュ（登録商標）」、「マイクロドライブ（登録商標）」、「USBメモリー」、「CD/DVD」、および「携帯電話」から、画像データの読み出しができるようになっている。
【００１８】
ここでインタフェース部２０には、図２に示すように、「SDカード」が挿入される第１スロット４１、「miniSDカード」が挿入される第２スロット４２（第１の挿入部の一例）、「microSDカード」が挿入される第３スロット４３（第２の挿入部の一例）、「xDピクチャーカード」が挿入される第４スロット４４、「メモリースティック」が挿入される第５スロット４５、「メモリースティックDuo」が挿入される第６スロット４６、「コンパクトフラッシュ」あるいは「マイクロドライブ」が挿入される第７スロット４７、「USBメモリー」が差し込まれる第８スロット４８が設けられている。
【００１９】
またインタフェース部２０には、「CD/DVD」からの画像データを読み出すCD/DVDドライブ４９Ａ（図１参照）、「携帯電話」から送信される画像データを受信する受信部４９Ｂ（図２参照）が設けられている。またインタフェース部２０には、第１スロット４１〜第８スロット４８の各々に対応する第１ランプＬ１〜第８ランプＬ８が設けられている。またインタフェース部２０には、CD/DVDドライブ４９Ａに対応する第９ランプ（不図示）、受信部４９Ｂに対応する第１０ランプＬ１０が設けられている。なお、第１ランプＬ１〜第１０ランプＬ１０は、例えばＬＥＤ（Light Emitting Diode）により構成することができる。また本実施形態では、第１スロット４１〜第８スロット４８の内部に、記憶媒体に設けられた接点に接触する端子（不図示）が設けられている。
【００２０】
図３は、画像形成装置１０に設けられた制御部６０（図１参照）のハードウェア構成例である。制御部６０は、ＣＰＵ（Central Processing Unit）３４、ＲＡＭ（Random Access Memory）３６、ＲＯＭ（Read Only Memory）３８、外部Ｉ／Ｆ５５を備えている。ここでＣＰＵ３４は、ＲＯＭ３８に記憶されたプログラムに従い、ＲＡＭ３６との間でデータのやりとりを行いながら処理を実行する。なおＣＰＵ３４、ＲＡＭ３６、ＲＯＭ３８、および外部Ｉ／Ｆ４２は、コントロールバスやデータバス等のバス５６を介して互いに接続されている。
【００２１】
またバス５６には、第１のＩ／Ｆ５７を介してインタフェースユニット１６が接続されている。また、バス５６には、第２のＩ／Ｆ５８を介して課金装置１２が接続されている。また、バス５６には、上記画像形成部２４と接続される第３のＩ／Ｆ５０、上記画像読み取り部２２と接続される第４のＩ／Ｆ５９が接続されている。なお本実施形態では、ＲＯＭ３８に予めプログラムが記憶されているが、通信手段によって別途プログラムが提供されるようにしてもよい。またこのプログラムは、ＣＤＲＯＭ等の記憶媒体に格納して提供することも可能である。
【００２２】
ここで、上記記憶媒体から画像データを読み出し画像形成装置１０にてプリントを行う際に実行される処理について詳細に説明する。
図４は、画像形成装置１０にてプリントが行われる際に制御部６０が実行する処理の流れを示したフローチャートである。本実施形態のプリントシステム１では、まず、コピー、スキャン、プリントのいずれを行うかをユーザに選択させるための表示が、インタフェースユニット１６のモニタ１８に表示される。そして、ユーザがプリントを選択した場合には、ユーザが有している記憶媒体を特定するための画像（画面）をモニタ１８に表示する（ステップ１０１）。
【００２３】
ここで図５は、ステップ１０１にてモニタ１８に表示される表示画面の一例を示した図である。上記のとおり、また同図に示すように、プリントがユーザにより選択された場合、ユーザが有している記憶媒体を特定するための表示がモニタ１８になされる。付言すると、モニタ１８にはインタフェース部２０に挿入可能な記憶媒体の一覧が表示される。なお本実施形態では、モニタ１８に、各記憶媒体の画像および名称が表示されるようになっている。また本実施形態では、モニタ１８に、「メディア（記憶媒体）を選択して下さい。」との表示が行われる。また、「メモリースティック」には、「メモリースティック」と「メモリースティックDuo」の２つの種類がある旨の表示がなされる。
【００２４】
またステップ１０１では、背景色とは異なる色で形成され且つ矩形状に形成された画像を複数表示することで、各々独立している複数の領域１８１をモニタ１８に表示する。より具体的には、第１領域１８１Ａ〜第１０領域１８１Jの１０個の領域１８１を表示する。さらに説明すると、格子状に且つ２行、５列で配列された１０個の領域１８１を表示する。また本実施形態では、第１領域１８１Ａ〜第１０領域１８１Jの各領域１８１の内部に、「SDカード」、「miniSDカード」、「microSDカード」、「xDピクチャーカード」、「メモリースティック」、「メモリースティックDuo」、「コンパクトフラッシュ／マイクロドライブ」、「USBメモリー」、「CD/DVD」、「赤外線IrDA（携帯電話）」の文字および画像が表示されるようになっている。
【００２５】
図４に戻りさらに説明を行う。
ステップ１０１にて上記の表示を行った後は、モニタ１８に対するユーザの操作を待つ。そしてモニタ１８に対するユーザの操作があり記憶媒体の選択がなされた場合には、選択された記憶媒体が、「miniSDカード」であるか否かを判断する（ステップ１０２）。付言すると、受け付け手段として機能する制御部６０は、上記第１領域１８１Ａ〜第１０領域１８１Jのいずれかがユーザにより押圧され記憶媒体の選択があった場合、この選択を受け付けるとともに、選択されたこの記憶媒体が、「miniSDカード」であるか否かを判断する。そして、「miniSDカード」ではないと判断した場合、選択された記憶媒体が「メモリースティック」であるか否かを判断する（ステップ１０３）。
【００２６】
そしてステップ１０３にて「メモリースティック」ではないと判断した場合、即ち、ユーザにより選択された記憶媒体が、「miniSDカード」、「メモリースティック」以外の記憶媒体である場合には、処理手段としても機能する制御部６０は、選択された記憶媒体に対応したランプ（第１ランプＬ１〜第１０ランプＬ１０（図２参照））の点灯を行う（ステップ１０４）。これにより記憶媒体の挿入箇所がユーザに通知されるようになる。例えばユーザにより選択された記憶媒体が「microSDカード」であった場合には、図２の第３ランプＬ３を点灯する。また、ユーザにより選択された記憶媒体が例えば「xDピクチャーカード」であった場合には、第４ランプＬ４を点灯する。これにより、記憶媒体の挿入箇所がより明確となり、誤ったスロットに記憶媒体が挿入されることが抑制されるようになる。
【００２７】
一方、上記ステップ１０２にて、ユーザにより選択された記憶媒体が「miniSDカード」であると判断した場合には、「miniSDカード」および「microSDカード」のいずれであるかをユーザに選択（特定）させるための画面をモニタ１８に表示する（ステップ１０５）。付言すると、記憶媒体の選択をユーザに再度行わせるための画面をモニタ１８に表示する。ここで図６は、ステップ１０５にて表示される画面の一例を示した図である。ユーザにより選択された記憶媒体が「miniSDカード」であるとステップ１０２にて判断した場合、制御部６０は、図６に示すように、ユーザが有する記憶媒体が「miniSDカード」および「microSDカード」のいずれであるかを選択（特定）させるための画面をモニタ１８に表示する。
【００２８】
より具体的に説明すると、表示画面の左側の領域に、上記と同様、背景色とは異なる色で形成され且つ矩形状に形成された画像を複数表示することで、各々独立している複数の領域１８２を表示する。より具体的には、第１領域１８２Ａ、第２領域１８２Ｂの２つの領域１８２を表示する。さらに説明すると、上下方向において、第１領域１８２Ａ、第２領域１８２Ｂの２つの領域１８２を並べて表示するとともに、第１領域１８２Ａを上方に第２領域１８２Ｂを下方に配置する。また第１領域１８２Ａの内部には「miniSDカード」の文字および画像を表示し、第２領域１８２Ｂの内部には、「microSDカード」の文字および画像を表示する。なお第１領域１８２Ａおよび第２領域１８２Ｂは、ユーザによる再度の選択がなされる際にユーザにより押圧される画像として捉えることができる。
【００２９】
さらに本実施形態では、モニタ１８の幅方向における中央部且つ第１領域１８２Ａの右側に、「miniSDカード」の画像が実物と同じ大きさで表示される。付言すると、第１領域１８２Ａの右側に、「miniSDカード」の画像が原寸大（実物大）で表示される。また本実施形態では、原寸大で表示されたこの「miniSDカード」の第１側辺６１を通るように設けられるとともにこの第１側辺６１から上方および下方に向かって延びる第１直線５１を表示する。また原寸大で表示されたこの「miniSDカード」の第２側辺６２を通るように設けられるとともにこの第２側辺６２から上方および下方に向かって延びる第２直線５２を表示する。さらに、「miniSDカード」の上辺６３を通るように設けられるとともにこの上辺６３から左方および右方に向かって延びる第３直線５３、「miniSDカード」の下辺６４を通るように設けられるとともにこの下辺６４から左方および右方に向かって延びる第４直線５４を表示する。
【００３０】
また本実施形態では、モニタ１８の幅方向における中央部且つ第２領域１８２Ｂの右側に、「microSDカード」の画像が実物と同じ大きさで表示される。付言すると、第２領域１８２Ｂの右側に、「microSDカード」の画像が原寸大で表示される。また本実施形態では、上記と同様、原寸大で表示された「microSDカード」の第１側辺６１を通る第１直線５１、「microSDカード」の第２側辺６２を通る第２直線５２、「microSDカード」の上辺６３を通る第３直線５３、「microSDカード」の下辺６４を通る第４直線５４を表示する。
【００３１】
また本実施形態では、原寸大で表示された「miniSDカード」と、第１領域１８２Ａ内の情報（文字情報、画像情報）とが対応していることを示す矢印ＡＲ１がモニタ１８に表示されるようになっている。同様に、原寸大で表示された「microSDカード」と、第２領域１８２Ｂ内の情報（文字情報、画像情報）とが対応していることを示す矢印ＡＲ２がモニタ１８に表示されるようになっている。
【００３２】
ところで、本実施形態では図５にて示した表示を行った後、ユーザにより記憶媒体の選択が行われるが、この際、誤った選択がなされうる。例えば、「miniSDカード」と「microSDカード」とでは種類が同じでありまたデザインや名称が近似しているため、ユーザが有する記憶媒体が「miniSDカード」であるに関わらず「microSDカード」が選択され、また、ユーザが有する記憶媒体が「microSDカード」であるに関わらず「miniSDカード」が選択されることが起こり得る。
【００３３】
さらに説明すると、「microSDカード」は極めて小さいため、図５にて示した表示画面では、拡大した状態で表示している。そしてこの場合、「miniSDカード」の大きさと「microSDカード」の大きさとが接近するようになり、大きさの観点から、「miniSDカード」と「microSDカード」とを見分けることが難しくなる。そしてこのような場合、上記のように、ユーザが有する記憶媒体が「miniSDカード」であるに関わらず「microSDカード」が選択されるなどの事態が起こり得る。
【００３４】
ここで、上記のように記憶媒体の選択が誤ってなされると、誤ったスロットに対応したランプが点灯するようになり、誤ったスロットに記憶媒体が挿入される事態が起こり得る。例えば、ユーザが有している記憶媒体が「microSDカード」であるにも関わらず、「miniSDカード」が挿入される予定である第２スロット４２（図２参照）に対応した第２ランプＬ２が点灯し、この第２スロット４２に対して「microSDカード」が挿入されることが起こりうる。そしてこのように誤ったスロットに記憶媒体が挿入された場合、この記憶媒体を除去するのに手間を要するようになってしまう。
【００３５】
このため本実施形態では、図５にて示した表示画面にて「miniSDカード」が選択された場合（第２領域１８１Ｂが押圧された場合）には、図６に示したように、確認のための画面を表示するようにしている。このような画面を表示することで、「miniSDカード」と「microSDカード」の近似した２種類のカードが存在することをユーザは認識するようになり、記憶媒体の誤った選択が抑制され誤ったスロットへの記憶媒体の挿入が抑制されるようになる。ここで本実施形態では、上記確認のための画面（図６参照）にて、上述のとおり、「miniSDカード」および「microSDカード」を原寸大で表示するようにしている。これにより、大きさの観点からも記憶媒体の種類を識別することが可能となり、記憶媒体の誤った選択およびスロットへの記憶媒体の誤挿入がさらに抑制されるようになる。
【００３６】
なお本実施形態では、原寸大で表示された「miniSDカード」や「microSDカード」を、図６に示すように、第１領域１８２Ａ、第２領域１８２Ｂの側方に配置している。付言すると、「miniSDカード」、「microSDカード」についての原寸大で表示を、第１領域１８２Ａや第２領域１８２Ｂの上方ではなく、第１領域１８２Ａや第２領域１８２Ｂの側方に配置している。
【００３７】
ここで本実施形態におけるモニタ１８の上面（表示面）には、図１に示すように傾斜が付与されている。このため、原寸大の上記「miniSDカード」、「microSDカード」を第１領域１８２Ａや第２領域１８２Ｂの上方に表示してしまうと、モニタ１８の上に実際に載せられた「miniSDカード」、「microSDカード」が滑り、これらのカードが第１領域１８２Ａや第２領域１８２Ｂまで達することが起こり得る。そしてこの場合、この滑った「miniSDカード」、「microSDカード」をユーザが除去等する際に、第１領域１８２Ａや第２領域１８２Ｂが押圧されることが起こり得る。
【００３８】
付言すると、本実施形態では、ユーザの有している記憶媒体が「miniSDカード」および「microSDカード」のいずれであるかが判断される際に、原寸大で表示されている「miniSDカード」、「microSDカード」に対して、実物の「miniSDカード」「microSDカード」が重ねられる場合がある。この際に、この実物の「miniSDカード」、「microSDカード」が滑り、これらのカードが第１領域１８２Ａや第２領域１８２Ｂまで達することが起こり得る。そしてこの場合、この滑った「miniSDカード」、「microSDカード」をユーザが除去等する際に、第１領域１８２Ａや第２領域１８２Ｂが押圧されることが起こり得る。
【００３９】
ここで、第１領域１８２Ａや第２領域１８２Ｂが押圧された場合、この押圧により選択されたカード（記憶媒体）と、ユーザが実際に有しているカードとが一致していればよいが、このような一致が起こらず誤った選択がなされることも起こり得る。このため本実施形態では、原寸大の上記表示を、第１領域１８２Ａや第２領域１８２Ｂの上方に位置する領域以外の領域（本実施形態では側方）にて行うようにしている。
【００４０】
また本実施形態では、第１領域１８２Ａの内部および第２領域１８２Ｂの内部ではなく、第１領域１８２Ａの外部および第２領域１８２Ｂの外部にて、原寸大の上記表示を行うようにしている。ここで、第１領域１８２Ａの内部および第２領域１８２Ｂの内部に、原寸大の上記表示を行ってしまうと、原寸大のこの表示に対して実物の「miniSDカード」や「microSDカード」が重ねられる際に、第１領域１８２Ａや第２領域１８２Ｂが押圧されてしまう。そしてこの場合、上記と同様、記憶媒体の誤った選択がなされうる。このため本実施形態では、上記のとおり、第１領域１８２Ａの外部および第２領域１８２Ｂの外部にて、原寸大の上記表示を行うようにしている。
【００４１】
また本実施形態では、モニタ１８を正面から眺めた場合に、第１領域１８２Ａや第２領域１８２Ｂよりも左側に位置する領域ではなく、右側に位置する領域にて、原寸大の上記表示を行っている。ここで、原寸大のこの表示に対して、実物の「miniSDカード」や「microSDカード」をユーザが重ねる際、ユーザは一般的に右手でこの作業を行うことが多い。ところでこのような場合に、第１領域１８２Ａや第２領域１８２Ｂの左側の領域に、原寸大の上記表示がなされていると、ユーザの手が第１領域１８２Ａや第２領域１８２Ｂに触れやすくなる。そしてこの場合、上記と同様、誤った選択がなされることが起こり得る。このため本実施形態では、第１領域１８２Ａや第２領域１８２Ｂの左側に位置する領域以外の領域（本実施形態では右側に位置する領域）にて、原寸大の上記表示を行うようにしている。
【００４２】
また本実施形態では、モニタ１８を正面から眺めた場合に、原寸大の上記表示を、図６に示すように、モニタ１８の中央部（モニタ１８の幅方向における中央部）にて行っている。ここでモニタ１８に対するユーザの操作は、モニタ１８の正面にユーザが立った状態で且つユーザの右手により行われることが多い。ここで、上記原寸大の表示を、モニタ１８の左側にて行うことも考えられるが、この場合、原寸大の上記表示が中央部にてなされている場合に比べ操作性が低下しやすい。
【００４３】
より具体的に説明すると、原寸大の上記表示をモニタ１８の左側にて行うと、ユーザの右手は真っすぐではなく左斜め前方に出されることとなる。付言すると、ユーザの体とモニタ１８との間を横切るようにユーザの腕が出されるようになる。そしてこの場合、ユーザの腕の背後にモニタ１８が位置しモニタ１８が見にくくなるとともに、ユーザはより遠い位置まで腕を伸ばす必要が生じる。そしてこの場合、原寸大の上記表示が中央部にてなされている場合に比べ操作性が低下しやすくなる。このため本実施形態では、原寸大の上記表示を、モニタ１８の中央部にて行うようにしている。
【００４４】
なお、上記原寸大の表示は、モニタ１８の図中右側に位置する領域にて行うことも可能である。なお本実施形態では、図６に示すように、モニタ１８の右側且つ下側に、ユーザにより押圧される押圧ボタン９０が表示されるようになっている。ここで、原寸大の上記表示をモニタ１８の右側にて行ってしまうと、上記と同様、モニタ１８の下方に向かって実物の「miniSDカード」等が滑って移動した際に、この押圧ボタン９０が誤って押圧されてしまうおそれがある。このため本実施形態では、モニタ１８の中央部に上記原寸大の表示を行うようにしている。付言すると、押圧ボタン９０の上方に位置する領域を外した箇所に、上記原寸大の表示を行うようにしている。なお押圧ボタン９０は、前画面に戻る際にユーザによって押圧され、押圧ボタン９０がユーザにより押圧された場合、図５にて示した表示に戻るようになっている。
【００４５】
ところで、上記原寸大で表示されている「miniSDカード」や「microSDカード」に対して、実物の「miniSDカード」などが重ねられる場合、この実物の「miniSDカード」の背後に、モニタ１８に表示されている原寸大の「miniSDカード」や「microSDカード」が位置し、この原寸大の表示が隠れてしまうことがある。また原寸大で表示されている「microSDカード」に対して、実物の「microSDカード」が重ねられる場合も、この「microSDカード」の背後に、モニタ１８に表示されている原寸大の「microSDカード」が位置し、この原寸大の表示が隠れてしまうことがある。
【００４６】
そしてこの場合、ユーザが有するカードが、「miniSDカード」および「microSDカード」のいずれであるかを判別しにくくなる。このため本実施形態では、上記のように、「miniSDカード」の第１側辺６１、第２側辺６２、上辺６３、および下辺６４を通る、第１直線５１、第２直線５２、第３直線５３、および第４直線５４を表示するようにしている。また「microSDカード」の第１側辺６１、第２側辺６２、上辺６３、および下辺６４を通る、第１直線５１、第２直線５２、第３直線５３、および第４直線５４を表示するようにしている。
【００４７】
このように第１直線５１〜第４直線５４を表示する場合、例えば、実物の「miniSDカード」の背後に、モニタ１８に表示されている「miniSDカード」や「microSDカード」が隠れたとしても、上記第１直線５１〜第４直線５４が見えるようになり、ユーザが有する記憶媒体の判別がより行いやすくなる。また、例えば、実物の「microSDカード」の背後に、モニタ１８に表示されている「microSDカード」が隠れたとしても、第１直線５１〜第４直線５４が見えるようになり、ユーザが有する記憶媒体の判別がより行いやすくなる。
【００４８】
なお、上記では説明を省略したが、図６にて示した第１領域１８２Ａおよび第２領域１８２Ｂの何れかが押圧され、「miniSDカード」、「microSDカード」のいずれかがユーザにより選択された場合は、上記にて説明したステップ１０４の処理に進む。そしてこのステップ１０４では上記にて説明したように、ユーザにより選択された記憶媒体に対応したランプの点灯が行われる。例えば第１領域１８２Ａがユーザにより押圧され「miniSDカード」が選択された場合には、図２の第２ランプＬ２が点灯する。また、第２領域１８２Ｂがユーザにより押圧され「microSDカード」が選択された場合には、図２の第３ランプＬ３が点灯する。
【００４９】
次に、ステップ１０３にて、ユーザにより選択された記憶媒体が「メモリースティック」であると判断された場合の処理について説明する。ステップ１０３にて、ユーザにより選択された記憶媒体が「メモリースティック」であると判断された場合、「メモリースティック」および「メモリースティックDuo」のいずれであるかをユーザに選択（特定）させるための画面をモニタ１８に表示する（ステップ１０６）。
【００５０】
ここで、図７は、ステップ１０６にてモニタ１８に表示される表示画面を示した図である。制御部６０は、ユーザにより選択された記憶媒体が「メモリースティック」であるとステップ１０３にて判断した場合、図７に示すように、ユーザが有する記憶媒体が「メモリースティック」および「メモリースティックDuo」のいずれであるかを選択させるための画面をモニタ１８に表示する。ここで、「メモリースティック」という名称と、「メモリースティックDuo」という名称は近似しており、上記と同様、図５の表示にてユーザによる選択がなされる際に誤った選択がなされうる。
【００５１】
このため本実施形態では、図５の一覧の中から、「メモリースティック」が選択された場合には、図７に示すように、ユーザが有する記憶媒体が「メモリースティック」および「メモリースティックDuo」のいずれであるかを選択（特定）させるための画像をモニタ１８に表示する。なお「メモリースティック」、「メモリースティックDuo」のいずれかがユーザにより選択された場合は、上記にて説明したステップ１０４に進む。そしてこのステップ１０４では上記にて説明したように、ユーザにより選択された記憶媒体に対応したランプの点灯が行われる。例えば「メモリースティック」が選択された場合には、図２の第５ランプＬ５が点灯する。また、「メモリースティックDuo」が選択された場合には、図２の第６ランプＬ６が点灯する。なお図７にて示す表示画面の構成は図６にて示した表示画面の構成と同様になっている。このため、図７の表示画面についての詳細な説明は省略する。
【００５２】
図４を再度参照し、ステップ１０４以降の処理について説明する。
ステップ１０４の処理が実行された後、本実施形態では、インタフェース部２０へ記憶媒体を挿入する際の手順を説明するための画面をモニタ１８に表示する（ステップ１０７）。そしてインタフェース部２０へ記憶媒体が挿入されると、この記憶媒体から画像データが読みだされる。そしてこの画像データに基づき、プリント（用紙に対する画像形成処理）が行われる（ステップ１０８）。
【００５３】
ここで上記ステップ１０７では、例えば、図８に示すような表示が行われる。ここで図８は、上記ステップ１０５において「miniSDカード」が選択された場合の表示画面の一例を示した図である。この表示画面では、符号８Ａに示すように、インタフェース部２０を表示するとともに第２スロット４２を取り囲む破線を表示し、また、符号８Ｂに示すように、「miniSDカード」の挿入箇所を拡大した画像を表示する。
【００５４】
ここで本実施形態では、第２スロット４２に「miniSDカード」が実際に挿入された場合に、モニタ１８の右下の領域に、「セット確認」という文字が内部に書かれた矩形状のボタン９１が表示されるようになっている。また本実施形態では、表示されたこのボタン９１がユーザにより押圧されることを条件として、カバー２０Ａ（図２参照）の閉動作、「miniSDカード」からの画像データの読み出し、およびプリントがなされるようになっている。付言すると、ボタン９１がユーザにより押圧されない場合には、以降の処理がなされないようになっている。
【００５５】
また例えば、図５にて示した第３領域１８１Ｃが押圧され、「microSDカード」がユーザにより選択された場合には、図９（「microSDカード」が選択された場合の表示画面の一例を示した図）の符号９Ａに示すように、インタフェース部２０を表示するとともに第３スロット４３を取り囲む破線を表示し、「microSDカード」の挿入箇所を指し示す画像を表示する。また上記と同様、符号９Ｂに示すように、「microSDカード」の挿入箇所を拡大した画像を表示する。
【００５６】
また例えば、図７の表示にて「メモリースティック」が選択された場合には、図１０（「メモリースティック」が選択された場合の表示画面の一例を示した図）の符号１０Ａに示すように、インタフェース部２０を表示するとともに第５スロット４５を取り囲む破線を表示する。また、符号１０Ｂに示すように、「メモリースティック」の挿入箇所を拡大した画像を表示する。また例えば、図５にて示した第６領域１８１Ｆが押圧され「メモリースティックDuo」がユーザにより選択された場合には、図１１（「メモリースティックDuo」が選択された場合の表示画面の一例を示した図）の符号１１Ａに示すように、インタフェース部２０を表示するとともに第６スロット４６を取り囲む破線を表示する。また符号１１Ｂに示すように、「メモリースティックDuo」の挿入箇所を拡大した画像を表示する。
【００５７】
なお図示は省略するが、例えば、図５にて示した第４領域１８１Ｄが押圧され「xDピクチャーカード」がユーザにより選択された場合には、上記と同様、インタフェース部２０が表示されるとともに、第４スロット４４（図２参照）を取り囲む破線が表示される。また例えば、図５にて示した第８領域１８１Ｈが押圧され「USBメモリー」がユーザにより選択された場合には、インタフェース部２０が表示されるとともに第８スロット４８（図２参照）を取り囲む破線が表示される。
【００５８】
ところで、本実施形態では、図５における第２領域１８１Ｂがユーザにより押圧され、「miniSDカード」がユーザにより選択された場合は、上記のように、記憶媒体が「miniSDカード」および「microSDカード」のいずれであるかを選択させるための画面を表示する（図６参照）。その一方、本実施形態では、第３領域１８１Ｃ（図５参照）がユーザにより押圧され、「microSDカード」がユーザにより選択された場合は、上記選択させるための画面を表示しない。付言すると、第３領域１８１Ｃが押圧され「microSDカード」がユーザにより選択された場合には、上記ステップ１０５（図４参照）の処理が省略される。
【００５９】
ここで、上述のとおり、「miniSDカード」と「microSDカード」とでは名称などが近似しているため、ユーザが実際に有している記憶媒体が「miniSDカード」であるに関わらず、第３領域１８１Ｃが押圧され「microSDカード」が選択されことが起こり得る。そしてこの場合、第３ランプＬ３（図２参照）が点灯するとともに、第３スロット４３に対する「miniSDカード」の挿入操作（ユーザによる挿入操作）がなされうる。
【００６０】
ところで、「miniSDカード」は「microSDカード」よりも大きく形成されており、「miniSDカード」の幅の方が「microSDカード」の幅よりも大きくなっている。このため、上記のように第３ランプＬ３が点灯し第３スロット４３に対する上記挿入操作が行われた場合、第３スロット４３に対する「miniSDカード」の挿入は防がれる。即ち本実施形態の構成では、図６の表示を行わなかったとしても、「miniSDカード」の第３スロット４３への誤挿入が起こらないようになっている。
【００６１】
ここで、図５における第３領域１８１Ｃが押圧された場合（「microSDカード」が選択された場合）も、図６にて示した、選択させるための画面を表示することもできる。また例えば、図１２（表示画面の他の一例を示した図）に示すように、一つの表示領域内に、「miniSDカード」および「microSDカード」を表示しておき、この一つの表示領域が押圧された場合に、図６にて示した、選択させるための画面を表示することもできる。この場合、スロットへの挿入を行う前に、自身が有する記憶媒体をユーザはより確実に認識するようになる。そしてこの場合、上記、第３スロット４３に対する「miniSDカード」の上記挿入操作が行われにくくなる。
【００６２】
ところで、本プリントシステム１を頻繁に使用するユーザは、このプリントシステム１の操作手順などを既に理解しており、このようなユーザがプリントシステム１を使用する場合には、スロットへの記憶媒体の誤挿入が起こりくい。このため、図６に示した表示は、初めてプリントシステム１を使用するユーザ等にとっては役立つものであるが、プリントシステム１を頻繁に使用するユーザにとっては役に立ちにくいものとなる。付言すると、図６に示す表示を行う場合、プリントを行うまでに要する操作の数が増加するようになり、このような表示を行う場合、上記頻繁に使用するユーザが本プリントシステム１を使用する際の操作性が低下しやすくなる。
【００６３】
このため本実施形態では、記憶媒体の誤挿入を起こし得る、「第２領域１８１Ｂ」が押圧された場合に、図６にて示した表示を行い、記憶媒体の誤挿入が起きにくい、「第３領域１８１Ｃ」が押圧された場合には、図６にて示した表示を行わないようにしている。これにより、記憶媒体の誤挿入が抑制されるとともに、頻繁にプリントシステム１を使用するユーザの操作性の低下が抑制されるようになる。
【００６４】
なお、「メモリースティック」の幅も、「メモリースティックDuo」の幅よりも大きくなっており、「メモリースティック」の第６スロット４６への挿入ができないようになっている。このため、本実施形態では、図５の表示にて第５領域１８１Ｅが押圧された場合（「メモリースティック」が選択された場合）には、図７の、選択させるための表示を行うようにしている。その一方で、図５の表示にて第６領域１８１Ｆが押圧された場合（「メモリースティックDuo」が選択された場合）には、図７の表示を行わないようにしている。
【００６５】
なお本実施形態では、上記のように、記憶媒体の誤挿入を抑制しているが、この誤挿入を完全に防止することは困難である。このため、誤ったスロットに挿入された記憶媒体をスロットから排出させる排出機構を設けることが好ましくなる。この排出機構は、例えば、図１３（記憶媒体の排出機構を示した図）に示すように、記憶媒体の挿入方向に沿って進退可能に設けられた進退部材２１０と、モータ等の駆動源を用いてこの進退部材２１０をスロットの入口側に向けて移動させる移動機構（不図示）とにより構成することができる。ここで記憶媒体の誤挿入が起きた場合、進退部材２１０によってこの記憶媒体が押圧されることでスロットからこの記憶媒体が排出される。
【００６６】
なおこの進退部材２１０は、複数設けられた上記スロット毎に設けることできるし、例えば、進退部材２１０を長尺状に形成するとともに複数のスロットを跨るようにこの進退部材２１０を設け、一つの進退部材２１０によって複数のスロットから記憶媒体を排出できるようにしてもよい。さらに「microSDカード」が挿入される第３スロット４３などのように、幅が小さく記憶媒体の誤挿入が起こりにくいスロットについては、上記進退部材２１０を設けない構成とすることもできる。なお記憶媒体の誤挿入が起きているか否かは、センサを用いることで判断することができる。また例えば、記憶媒体を存在を検知するセンサにより記憶媒体の存在が検知されているにも関わらず記憶媒体から情報を読み出せない場合に、誤挿入が起きていると判断することもできる。
【００６７】
なお上記では、「miniSDカード」と「microSDカード」のように、同一の種類間における誤挿入を抑制する場合を説明した。ところで、種類が異なっていても、色、形状、大きさなどが近似している場合には、上記にて説明した誤挿入が起こりうる。このため、上記にて説明した本実施形態の構成は、異なる種類間における誤挿入を抑制する際にも用いることができる。
【符号の説明】
【００６８】
１…プリントシステム、２４…画像形成部、４２…第２スロット、４３…第３スロット、６０…制御部、１８２Ａ…第１領域、１８２Ｂ…第２領域、２１０…進退部材
【図１】
0005732848.tif 000002
【図２】
0005732848.tif 000003
【図３】
0005732848.tif 000004
【図４】
0005732848.tif 000005
【図５】
0005732848.tif 000006
【図６】
0005732848.tif 000007
【図７】
0005732848.tif 000008
【図８】
0005732848.tif 000009
【図９】
0005732848.tif 000010
【図１０】
0005732848.tif 000011
【図１１】
0005732848.tif 000012
【図１２】
0005732848.tif 000013
【図１３】
0005732848.tif 000014